(57)【要約】【課題】既存の告知放送システムを利用して、簡素なセキュリティ管理を行うことが可能となる、告知放送受信機を提供すること。【解決手段】告知放送受信機３は、センター装置２から送信された告知放送信号を伝送線路９１を介して受信して放送する告知放送受信機３であって、監視領域にいる人の状態を検知する検知部３５と、検知部３５の検知結果に基づいて、監視領域内にいる人の動きに異常があるか否かを判定する判定部３９ａと、判定部３９ａにて人の動きに異常があると判定された場合に、当該異常がある旨を示す異常信号を伝送線路９１を介してセンター装置２に送信する異常信号送信部３０ａと、を備えている。【選択図】図１
2014013462.tif 000002
【特許請求の範囲】
【請求項１】
送信手段から送信された告知放送信号を伝送線路を介して受信して放送する告知放送受信機であって、
監視領域にいる人の状態を検知する検知手段と、
前記検知手段の検知結果に基づいて、前記監視領域内にいる人の動きに異常があるか否かを判定する判定手段と、
前記判定手段にて前記人の動きに異常があると判定された場合に、当該異常がある旨を示す異常信号を前記伝送線路を介して前記送信手段に送信する異常信号送信手段と、
を備える告知放送受信機。
【請求項２】
前記判定手段の判定結果に応じた音声を出力する音声出力手段を備え、
当該告知放送受信機は見守りモードで動作可能であり、
前記見守りモードにおいては、前記判定手段は、前記検知手段の検知結果に基づいて前記監視領域内にいる人の安否を判定し、前記判定手段によって前記監視領域内にいる人が安全でないと判定された場合に、前記音声出力手段は前記監視領域内にいる人の安否を確認する音声を出力し、前記音声出力手段にて前記音声が出力されてから所定時間経過するまでの間、前記判定手段は前記音声に対する所定の応答があるか否かを判定し、前記判定手段にて前記所定の応答がないと判定された場合に、前記異常信号送信手段は、前記監視領域内にいる人が安全でない旨を示す異常信号を前記伝送線路を介して前記送信手段に送信する、
請求項１に記載の告知放送受信機。
【請求項３】
前記音声出力手段による音声出力が終了してから所定時間経過するまでの間、当該告知放送受信機の周囲の音を録音する録音手段を備え、
前記異常信号送信手段は、前記録音手段にて録音された音を、前記監視領域内にいる人が安全でない旨を示す異常信号と共に前記伝送線路を介して前記送信手段に送信する、
請求項２に記載の告知放送受信機。
【請求項４】
当該告知放送受信機は警備モードで動作可能であり、
前記警備モードにおいては、前記判定手段は、前記検知手段の検知結果に基づいて前記監視領域内における不審者の侵入の有無を判定し、前記判定手段によって前記監視領域内に不審者が侵入したと判定された場合に、前記異常信号送信手段は、前記監視領域内に不審者が侵入した旨を示す異常信号を前記伝送線路を介して前記送信手段に送信する、
請求項１から３のいずれか一項に記載の告知放送受信機。
【請求項５】
前記見守りモードと、前記警備モードとを切り替えるための切替手段を備えた、
請求項２又は３と４とに記載の告知放送受信機。 
【発明の詳細な説明】
【技術分野】
【０００１】
本発明は、告知放送を受信する告知放送受信機に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震等の災害が発生した時の緊急放送を行う際、センター装置は告知放送信号を伝送線路を介して送信し、この告知放送信号を受信機が受信して、告知放送をスピーカにて音声出力する（例えば、特許文献１参照）。
【先行技術文献】
【特許文献】
【０００３】
【特許文献１】特開２０１２−００８２８７号公報
【発明の概要】
【発明が解決しようとする課題】
【０００４】
ところで、近年では、お年寄りの孤独死問題や空き巣等の防犯対策等への意識の高まりから、住戸において、室内にいる人間を監視するようなセキュリティ管理を行いたいというニーズが高まってきている。しかしながら、既存のセキュリティ管理システムの設置には多大なコストがかかるため、当該セキュリティ管理システムを手軽に設置することは難しかった。このような事情から、例えば、既存の告知放送システムを利用して、簡素なセキュリティ管理を行うことができるシステムが要望されていた。
【０００５】
本発明は、上記に鑑みてなされたものであって、既存の告知放送システムを利用して、簡素なセキュリティ管理を行うことが可能となる、告知放送受信機を提供することを目的とする。
【課題を解決するための手段】
【０００６】
上述した課題を解決し、目的を達成するために、請求項１に記載の告知放送受信機は、送信手段から送信された告知放送信号を伝送線路を介して受信して放送する告知放送受信機であって、監視領域にいる人の状態を検知する検知手段と、前記検知手段の検知結果に基づいて、前記監視領域内にいる人の動きに異常があるか否かを判定する判定手段と、前記判定手段にて前記人の動きに異常があると判定された場合に、当該異常がある旨を示す異常信号を前記伝送線路を介して前記送信手段に送信する異常信号送信手段と、を備えている。
【０００７】
また、請求項２に記載の告知放送受信機は、請求項１に記載の告知放送受信機において、前記判定手段の判定結果に応じた音声を出力する音声出力手段を備え、当該告知放送受信機は見守りモードで動作可能であり、前記見守りモードにおいては、前記判定手段は、前記検知手段の検知結果に基づいて前記監視領域内にいる人の安否を判定し、前記判定手段によって前記監視領域内にいる人が安全でないと判定された場合に、前記音声出力手段は前記監視領域内にいる人の安否を確認する音声を出力し、前記音声出力手段にて前記音声が出力されてから所定時間経過するまでの間、前記判定手段は前記音声に対する所定の応答があるか否かを判定し、前記判定手段にて前記所定の応答がないと判定された場合に、前記異常信号送信手段は、前記監視領域内にいる人が安全でない旨を示す異常信号を前記伝送線路を介して前記送信手段に送信する。
【０００８】
また、請求項３に記載の告知放送受信機は、請求項２に記載の告知放送受信機において、前記音声出力手段による音声出力が終了してから所定時間経過するまでの間、当該告知放送受信機の周囲の音を録音する録音手段を備え、前記異常信号送信手段は、前記録音手段にて録音された音を、前記監視領域内にいる人が安全でない旨を示す異常信号と共に前記伝送線路を介して前記送信手段に送信する。
【０００９】
また、請求項４に記載の告知放送受信機は、請求項１から３のいずれか一項に記載の告知放送受信機において、当該告知放送受信機は警備モードで動作可能であり、前記警備モードにおいては、前記判定手段は、前記検知手段の検知結果に基づいて前記監視領域内における不審者の侵入の有無を判定し、前記判定手段によって前記監視領域内に不審者が侵入したと判定された場合に、前記異常信号送信手段は、前記監視領域内に不審者が侵入した旨を示す異常信号を前記伝送線路を介して前記送信手段に送信する。
【００１０】
また、請求項５に記載の告知放送受信機は、請求項２又は３と４とに記載の告知放送受信機において、前記見守りモードと、前記警備モードとを切り替えるための切替手段を備えている。
【発明の効果】
【００１１】
請求項１に記載の告知放送受信機によれば、判定手段にて人の動きに異常があると判定された場合に、異常信号送信手段は、当該異常がある旨を示す異常信号を伝送線路を介して送信手段に送信するので、センター装置の管理者に対して監視領域内にいる人の動きに異常があったことを報知することができる。よって、既存の告知放送システムを利用して、簡素なセキュリティ管理を行うことができる。
【００１２】
また、請求項２に記載の告知放送受信機によれば、見守りモードにおいては、判定手段によって監視領域内にいる人が安全でないと判定された場合には、音声出力手段にて監視領域内にいる人の安否を確認する音声が出力されてから所定時間経過するまでの間に、判定手段によって所定の応答がないと判定された場合に、異常信号送信手段は、監視領域内にいる人が安全でない旨を示す異常信号を送信するので、判定手段によって誤って監視領域内にいる人が安全でないと判定された場合に、上記異常信号が送信されることを防止することができ、監視領域内にいる人の安否管理を正確に行うことができる。
【００１３】
また、請求項３に記載の告知放送受信機によれば、異常信号送信手段は、録音手段にて録音された音を、異常信号と共に送信するので、送信手段側にいる管理者は、当該送信された周囲の音から監視領域内の詳細な状況を把握することができ、状況に応じた対処措置を講ずることができる。
【００１４】
また、請求項４に記載の告知放送受信機によれば、警備モードにおいては、判定手段によって監視領域内に不審者が侵入したと判定された場合に、異常信号送信手段は、監視領域内に不審者が侵入した旨を示す異常信号を送信するので、送信手段側にいる管理者に対して、監視領域内に不審者が侵入したことを迅速に知らせることができる。
【００１５】
また、請求項５に記載の告知放送受信機によれば、切替手段を介して告知放送受信機の動作モードを任意に切り替えることができ、ユーザは状況に応じた動作モードを利用することができる。
【図面の簡単な説明】
【００１６】
【図１】告知放送システムの構成を示すブロック図である。
【図２】設置壁に固定された告知放送受信機を示す斜視図である。
【図３】告知放送受信機を示す図であり、（ａ）は正面図、（ｂ）は底面図である。
【図４】告知放送受信機が実行するセキュリティ管理処理のフローチャートである。
【発明を実施するための形態】
【００１７】
以下に添付図面を参照して、本発明に係る実施の形態を詳細に説明する。ただし、この実施の形態によって本発明が限定されるものではない。
【００１８】
（構成）
本実施の形態に係る告知放送受信機が設置される場所は任意であり、この告知放送受信機を住戸のリビング等の部屋や、商業ビルのテナントフロア等のフロアに設置することができるが、以下では、住戸の部屋に設置された告知放送受信機に適用した場合を例として説明を行う。
【００１９】
最初に、本実施の形態に係る告知放送システムの構成を説明する。図１は、告知放送システムの構成を示すブロック図である。図１に示すように、告知放送システム１は、センター側に配置されたセンター装置２、各住戸に配置された告知放送受信機３、及びセンター装置２から送信された信号を告知放送受信機３に送信する伝送系統９を備えて構成されている。このうち、センター装置２は告知放送信号を送信するものであり、公知のセンター装置と同様に構成することができる。また、伝送系統９は、ヘッドエンド９０、このヘッドエンド９０から各住戸の告知放送受信機３に至る伝送線路９１、さらに、この伝送線路９１に配置された、アンプ９２、分配増幅器９３、分配器９４、及び保安器９５を備えて構成されている。ヘッドエンド９０は、センター装置２から送信された信号を受信し、この信号をレベル増幅した上で伝送線路９１に送出する増幅送信手段である。伝送線路９１は、告知放送信号を送信する送信線路であり、例えば、ＣＡＴＶ信号を伝送するＣＡＴＶ伝送線路（同軸ケーブル）を備えて構成される。アンプ９２は、伝送線路９１を流れる信号を増幅する増幅手段である。分配増幅器９３は、信号を増幅した上で、各住戸に向けて分配する分配増幅手段である。分配器９４は、分配増幅器９３にて増幅された信号を各住戸に向けて分配する分配手段である。保安器９５は、各住戸に設けられ、伝送線路９１に乗って受信機に至る直流成分を制御する。なお、特記する構成を除き、センター装置２、告知放送受信機３、及び伝送系統９は、公知の装置又はシステムと同様に構成することができる。また、このセンター装置２は、特許請求の範囲における送信手段に対応するものである。
【００２０】
（構成−告知放送受信機）
次に、告知放送受信機３の電気的構成について説明する。図１に示したように、告知放送受信機３は、通信部３０と、音声切換え部３１と、音量調整部３２と、アンプ３３と、スピーカ３４と、検知部３５と、マイク３６と、操作部３７と、表示部３８と、制御部３９と、メモリ４０と、音声情報格納部４１とを備えている。
【００２１】
通信部３０は、センター装置２から送信された告知放送信号を復調する告知放送復調手段であり、告知放送信号に含まれる音声情報を音声切換え部３１に出力すると共に、告知放送信号に含まれる制御情報（例えば、告知放送が緊急放送又は一般放送の何れかを特定する情報等）を制御部３９に出力する。また、この通信部３０は、後述するアンテナ５１を介してラジオ放送信号を受信し、当該ラジオ放送信号に含まれる音声情報を音声切換え部３１に出力する。
また、この通信部３０は、異常信号送信部３０ａを備えている。異常信号送信部３０ａは、後述する判定部３９ａの判定結果に基づいて、異常がある旨を示す異常信号を伝送線路９１を介してセンター装置２に送信する異常信号送信手段である。
【００２２】
音声切換え部３１は、通信部３０から出力された音声情報を音量調整部３２又は音声情報格納部４１に出力し、あるいは、音声情報格納部４１に格納された音声情報又は音声を音量調整部３２に出力する音声切換え手段である。
【００２３】
音量調整部３２は、音声切換え部３１から出力された音声情報又は音声の音量を調整する音量調整手段である。アンプ３３は、音量調整部３２から出力された音声情報又は音声を増幅する増幅手段である。スピーカ３４は、アンプ３３から出力された音声情報又は音声を出力する音声出力手段であり、例えば、公知のスピーカで構成されている。
【００２４】
検知部３５は、監視領域にいる人の状態を検知する検知手段である。ここで、「監視領域にいる人の状態を検知する」方法としては、直接的な検知と、間接的な検知とが考えられる。直接的な検知の方法としては、監視領域内にいる人の状態を人感センサ等により検知する方法が挙げられ、この方法を採用する場合には、検知部３５は、例えば、監視領域内にいる人の動作状態の変動を検知するための公知の人感センサ（具体的には、焦電型赤外線センサ等）で構成されている。一方、間接的な検知の方法としては、監視領域内の環境状態（例えば温度、湿度等）の変動を検知し、この環境状態の変動に基づいて、監視領域内にいる人の状態を特定する方法が挙げられる。この方法を採用する場合には、検知部３５は、例えば、監視領域内の環境状態の変動を検知するための公知の温度センサ、又は公知の湿度センサ等で構成されてもよい。
【００２５】
マイク３６は、告知放送受信機３の周囲の音の入力を受け付けて音声信号に変換する音入力手段であり、例えば公知のマイクで構成されている。
【００２６】
操作部３７は、告知放送受信機３に対する各種の操作を行うための操作手段である。
この操作部３７は、切替スイッチ３７ａを備えている。切替スイッチ３７ａは、告知放送受信機３の動作モードを切替えるための切替手段である。ここで、この告知放送受信機３の動作モードとしては、見守りモードと、警備モードとの２つのモードに区分けされる。
【００２７】
見守りモードは、告知放送受信機３の監視領域内にいる人の安否を確認するためのモードである。また、警備モードは、告知放送受信機３の監視領域内における不審者の侵入の有無を確認するためのモードである。そして、これら見守りモード、及び警備モードの切り替えについては、切替スイッチ３７ａに対して所定の入力操作を行うことにより切り替えられる。また、この切替スイッチ３７ａの具体的な構成は任意であり、例えばスライドスイッチ等を用いて構成することができる。
【００２８】
表示部３８は、告知放送受信機３に関する情報を表示するための表示手段である。
【００２９】
制御部３９は、告知放送受信機３の各部を制御する制御手段であり、具体的には、ＣＰＵ（例えばマイコン）、当該ＣＰＵ上で解釈実行される各種のプログラム（ＯＳなどの基本制御プログラムや、ＯＳ上で起動され特定機能を実現するアプリケーションプログラムを含む）、及びプログラムや各種の制御データを格納するためのＲＡＭの如き内部メモリを備えて構成されるコンピュータである。
また、この制御部３９は、機能概念的に、判定部３９ａ、及び録音部３９ｂを備えている。判定部３９ａは、検知部３５の検知結果に基づいて、監視領域内にいる人の動きに異常があるか否かを判定する判定手段である。録音部３９ｂは、マイク３６から入力された音を後述する周囲音格納部４１ａに記憶させる録音手段である。なお、この制御部３９によって実行される処理の詳細については後述する。
【００３０】
メモリ４０は、告知放送受信機３の各種制御に必要な情報を記録する記録手段である。このメモリ４０は、書き換え可能な記録媒体を用いて構成され、例えばフラッシュメモリ等の不揮発性記録媒体を備えて構成される（後述する音声情報格納部４１についても同様）。
【００３１】
音声情報格納部４１は、通信部３０が受信した告知放送信号に含まれる音声情報を格納すると共に、告知放送受信機３の各種制御に必要な音声を格納する音声情報格納手段である。
この音声情報格納部４１は、周囲音格納部４１ａを備えて構成されている。周囲音格納部４１ａは、マイク３６から入力された音を格納するための周囲音格納手段である。
【００３２】
続いて、告知放送受信機３の基本構成について説明する。図２は、設置壁Ｗに固定された告知放送受信機３を示す斜視図である。図３は、告知放送受信機３を示す図であり、（ａ）は正面図、（ｂ）は底面図である。これら図２及び図３（ａ）、（ｂ）に示すように、告知放送受信機３は、筐体４２の内部に図示しない各種の電子部品等を収容して構成されている。この筐体４２は、正面カバー４２ａと背面カバー４２ｂとを組み合わされて構成されている。正面カバー４２ａと背面カバー４２ｂの接続方法は任意であるが、例えば、正面カバー４２ａと背面カバー４２ｂは嵌合やネジ留めにて接続することができる。
【００３３】
図３（ａ）に示すように、この筐体４２の正面には、検知部３５と、操作部３７と、表示部３８と、音響孔４３が設けられている。
【００３４】
ここで、操作部３７としては、具体的には、切替スイッチ３７ａの他に、ＦＭ放送選択スイッチ３７ｂ、告知再生スイッチ３７ｃ、及びボリュームスイッチ３７ｄが設けられている。ＦＭ放送選択スイッチ３７ｂは、ＦＭ放送を選択するための放送選択手段である。告知再生スイッチ３７ｃは、録音された告知放送の再生を指示するための再生指示手段である。ボリュームスイッチ３７ｄは、スピーカ３４から出力される音量の調節を指示するための音量調整指示手段である。
【００３５】
また、表示部３８としては、具体的には、電源表示灯３８ａ、緊急放送表示灯３８ｂ、一般放送表示灯３８ｃが設けられている。電源表示灯３８ａは、告知放送受信機３の電源ＯＮ時に点灯するものである。緊急放送表示灯３８ｂは、緊急放送時に点灯又は点滅するものである。また、一般放送表示灯３８ｃは、一般放送時に点灯又は点滅するものである。これら表示部３８の具体的な構成としては、例えば公知のＬＥＤ（Ｌｉｇｈｔ  Ｅｍｉｔｔｉｎｇ  Ｄｉｏｄｅ）で構成されている。
【００３６】
音響孔４３は、筐体４２の内部に設けたスピーカ３４から出力された音を、当該筐体４２の外部に放出するための貫通孔である。
【００３７】
また、図３（ａ）、（ｂ）に示すように、筐体４２の左側面には、アンテナ５１が設けられている。アンテナ５１は、ＦＭラジオ等の電波を受信するための無線受信手段であり、例えば公知のラジオアンテナ等で構成されている。これにより、告知放送がセンター装置２から受信できない状況であっても、アンテナ５１にてＦＭラジオ等を受信することができる。
【００３８】
告知放送受信機３から告知放送を流したい場合に、センター装置２は放送したい告知放送受信機３のアドレスと告知放送の種別（緊急放送や一般放送）を含む制御信号を住戸の告知放送受信機３へ送信する。制御信号を受信した告知放送受信機３は、制御信号に含まれるアドレスが予め記憶された自分のアドレスと比較し、一致する場合には、制御信号の後に受信した告知放送を、音声切換え部３１、音量調整部３２、アンプ３３を介してスピーカ３４から放送を出力する。このとき、制御信号に含まれる告知放送の種別が緊急放送の場合には、ボリュームスイッチ３７ｄの音量調整状態に係わらず、最大音量で放送を出力して、住人に緊急事態であることを確実に知らせる。告知放送の種別が一般放送の場合にはボリュームスイッチ３７ｄの調整状態に応じた音量で放送する。また、告知放送を受信したときは音声情報格納部４１に記憶して、住人の操作で再生して放送内容を確認することができる。
【００３９】
（セキュリティ管理処理）
次に、このように構成された告知放送受信機３が実行するセキュリティ管理処理について説明する。図４は、告知放送受信機３が実行するセキュリティ管理処理のフローチャートである（以下の各処理の説明ではステップを「Ｓ」と略記する）。このセキュリティ管理処理の実行タイミングは任意であり、例えば、告知放送受信機３の電源が投入された後、ユーザが操作部３７を介して所定操作（具体的には、ＦＭ放送選択スイッチ３７ｂ、及び告知再生スイッチ３７ｃを同時に長押し等）を行った場合に起動される。
【００４０】
図４に示すように、まず、制御部３９は、切替スイッチ３７ａの切替状態に基づいて、見守りモードに設定されているか否かを判定する（ＳＡ１）。具体的には、制御部３９は、切替スイッチ３７ａが見守りモードに設定されている場合には、制御部３９は見守りモードに設定されていると判定し、切替スイッチ３７ａが警備モードに設定されている場合には、制御部３９は見守りモードに設定されていないと判定する。
【００４１】
（セキュリティ管理処理−見守りモード）
ここで、切替スイッチ３７ａが見守りモードに設定されている場合（ＳＡ１、Ｙｅｓ）、制御部３９は、見守りモードに関する制御として、以下に示す処理を行う。まず、制御部３９は、検知部３５から検知結果を取得する（ＳＡ２）。次いで、判定部３９ａは、ＳＡ２にて取得された検知結果に基づいて、監視領域内にいる人の安否を判定する（ＳＡ３）。ここで、監視領域内にいる人の安否に関する具体的な判定内容については、例えば検知部３５が人感センサの場合には、監視領域内にいる人の動きが停止すること（例えば、人が床等に倒れている場合等）により、人感センサによる人体検出のオフが一定時間継続している場合に、判定部３９ａは監視領域内にいる人が安全でないと判定する。一方、監視領域内にいる人の動きがあることにより、人感センサによる人体検出のオンが一定時間継続している場合に、判定部３９ａは監視領域内にいる人が安全であると判定する。
【００４２】
ここで、監視領域内にいる人が安全であると判定された場合（ＳＡ３、Ｎｏ）、監視領域内にいる人の監視を継続するために、制御部３９は、ＳＡ２に移行する。
【００４３】
一方、監視領域内にいる人が安全でないと判定された場合（ＳＡ３、Ｙｅｓ）、制御部３９は、異常信号送信部３０ａによって、当該監視領域内にいる人が安全でない旨の異常信号をセンター装置２に送信させてもよいとも考えられる。しかしながら、監視領域内にいる人が安全であるにもかかわらず、例えば、テレビ視聴等で人の動きがほとんどなかったり、あるいは、検知部３５の感度が低く設定されていたために、人の動きを正確に検出することができなかったことによって、監視領域内にいる人が安全でないと判定された場合（つまり、判定部３９ａによって誤った判定がなされた場合）において、異常信号送信部３０ａが上記異常信号を送信することは、センター装置２側のセキュリティ管理上好ましくない。このような問題を解消するために、本実施の形態では、ＳＡ３の処理において、監視領域内にいる人が安全でないと判定された場合（ＳＡ３、Ｙｅｓ）、制御部３９は、監視領域内にいる人が実際に安全であるか否かを確認する処理（具体的には、ＳＡ４−ＳＡ７の処理）を行った上で、上記異常信号を送信することとしている。
【００４４】
ここで、上述した監視領域内にいる人が実際に安全であるか否かを確認する処理として、具体的には、制御部３９は、音声情報格納部４１から監視領域内にいる人の安否を確認するための問いかけ音声（例えば、「ピー、ピー、ピー、あなたの状況をお知らせ下さい。」等）を取得し、当該取得した問いかけ音声をスピーカ３４によって出力させる（ＳＡ４）。この問いかけ音声の出力パターンについては、例えば、問いかけ音声を単数回出力させてもよく、あるいは、所定時間（例えば１分間等）内に複数回出力させてもよい。また、この問いかけ音声を出力する場合の音量については、例えば、ボリュームスイッチ３７ｄによる音量設定にかかわらず、最大音量で出力させてもよい（以下、後述するＳＡ１１の警報音声についても同様とする）。
【００４５】
次に、監視領域内の詳細な状況を事後的に把握できるように、録音部３９ｂは、マイク３６から入力された告知放送受信機３の周囲の音を周囲音格納部４１ａに格納する（ＳＡ５）。ここで、録音部３９ｂの録音のタイミングについては、具体的には、ＳＡ４の問いかけ音声に対する監視領域内にいる人の反応を具体的に把握できるように、ＳＡ４の問いかけ音声の出力が終了してから後述するＳＡ７の所定時間（例えば３分間等）経過するまでの間としている。
【００４６】
そして、ＳＡ４の問いかけ音声に対する監視領域内にいる人の反応の有無を確認するために、判定部３９ａは、所定の応答があるか否かを判定する（ＳＡ６）。具体的には、監視領域内にいる人が操作部３７を介して所定操作（例えば、ＦＭ放送選択スイッチ３７ｂ、告知再生スイッチ３７ｃの押引操作や、ボリュームスイッチ３７ｄの回動操作等）を行った場合に、判定部３９ａは所定の応答があったと判定し、監視領域内にいる人が操作部３７を介して所定操作を行わなかった場合に、判定部３９ａは所定の応答がなかったと判定する。
【００４７】
ここで、所定の応答があったと判定された場合（ＳＡ６、Ｙｅｓ）、ＳＡ３の判定結果にかかわらず、監視領域内にいる人は実際には安全であることが確認されたとして、当該監視領域内にいる人の監視を継続するために、制御部３９は、ＳＡ２に移行する。
【００４８】
一方、所定の応答がなかったと判定された場合（ＳＡ６、Ｎｏ）、制御部３９は、所定時間が経過するまでＳＡ６の処理を繰り返す（ＳＡ６、ＳＡ７、Ｎｏ）。そして、所定時間が経過しても所定の応答がなかった場合（ＳＡ７、Ｙｅｓ）、監視領域内にいる人は実際に安全でないことが確認されたとして、制御部３９は、異常信号送信部３０ａによって、当該監視領域内にいる人が安全でない旨の異常信号、及び周囲音格納部４１ａに格納された周囲の音を伝送線路９１を介してセンター装置２に送信する（ＳＡ８）。これにより、センター装置２側にいる管理者に対して、監視領域内にいる人が安全でないことを正確に知らせることができる。また、このセンター装置２側にいる管理者は、送信された周囲の音から監視領域内の詳細な状況を把握することができるので、状況に応じた対処措置（例えば、救急車の出動指示等）を講ずることができる。また、センター装置２は、近隣住戸の受信機へ状況確認の協力を促す告知放送を自動的にまたは手動操作により発信しても良い。
【００４９】
（セキュリティ管理処理−警備モード）
また、ＳＡ１の処理において、切替スイッチ３７ａが見守りモードに設定されていなかった場合（ＳＡ１、Ｎｏ）、制御部３９は、警備モードに関する制御として、以下に示す処理を行う。まず、制御部３９は、検知部３５から検知結果を取得する（ＳＡ９）。次いで、判定部３９ａは、ＳＡ９にて取得された検知結果に基づいて、監視領域内における不審者の侵入の有無を判定する（ＳＡ１０）。ここで、監視領域内に不審者の侵入の有無に関する具体的な判定内容については、例えば、検知部３５が人感センサの場合には、監視領域内に不審者がいないことにより、人感センサによる人体検出のオフが一定時間継続している場合に、判定部３９ａは、監視領域内に不審者が侵入していないと判定する。一方、監視領域内に不審者がいることにより、人感センサによる人体検出のオンが一定時間継続している場合に、判定部３９ａは、監視領域内に不審者が侵入していると判定する。
【００５０】
ここで、監視領域内に不審者が侵入していないと判定された場合（ＳＡ１０、Ｎｏ）、監視領域内における不審者の監視を継続するために、制御部３９は、ＳＡ９に移行する。
【００５１】
一方、監視領域内に不審者が侵入していると判定された場合（ＳＡ１０、Ｙｅｓ）、監視領域の周辺にいる人に対して不審者が侵入している旨を報知させるために、あるいは、不審者を威嚇するために、制御部３９は、音声情報格納部４１から警報音声（例えば、「ピー、ピー、ピー、不審者が侵入しました。」等）を取得し、当該取得した警報音声をスピーカ３４によって出力させる（ＳＡ１１）。
【００５２】
次に、ＳＡ１１の警報音声が出力されてから所定時間（例えば１分間等）経過するまでの間、監視領域内の詳細な状況を事後的に把握できるように、録音部３９ｂは、マイク３６から入力された告知放送受信機３の周囲の音を周囲音格納部４１ａに格納する（ＳＡ１２、ＳＡ１３、Ｎｏ）。そして、所定時間が経過後した場合には（ＳＡ１３、Ｙｅｓ）、制御部３９は、異常信号送信部３０ａによって、当該監視領域内に不審者が侵入した旨の異常信号、及び周囲音格納部４１ａに格納された周囲の音を伝送線路９１を介してセンター装置２に送信する（ＳＡ１４）。これにより、センター装置２側にいる管理者に対して、監視領域内に不審者が侵入したことを迅速に知らせることができる。また、このセンター装置２側にいる管理者は、送信された周囲の音から監視領域内の詳細な状況を把握することができるので、状況に応じた対処措置（例えば警備員の出動指示、近隣住戸への緊急放送の発信等）を講ずることができる。また、近隣住戸への緊急放送の発信は、センター装置が異常信号を受信したときに自動的に行っても良い。告知放送受信機３で流す警報音声やセンター装置２側に送信する周囲音等は音声情報格納部４１に記録し、住人が帰宅した後に異常の発生とその状況を把握することができる。
【００５３】
（効果）
このように本実施の形態によれば、検知部３５の検知結果に基づいて、監視領域内にいる人の動きに異常があるか否かを判定する判定部３９ａと、判定部３９ａにて人の動きに異常があると判定された場合に、当該異常がある旨を示す異常信号を伝送線路９１を介してセンター装置２に送信する異常信号送信部３０ａとを備えているので、センター装置２側にいる管理者に対して監視領域内にいる人の動きに異常があったことを報知することができる。よって、既存の告知放送システムを利用して、簡素なセキュリティ管理を行うことができる。
【００５４】
また、見守りモードにおいては、判定部３９ａによって監視領域内にいる人が安全でないと判定した場合に、スピーカ３４は監視領域内にいる人の安否を確認する音声を出力し、スピーカ３４にて当該音声が出力されてから所定時間経過するまでの間、判定部３９ａは当該音声に対する所定の応答があるか否かを判定し、判定部３９ａにて所定の応答がないと判定した場合に、異常信号送信部３０ａは、監視領域内にいる人が安全でない旨を示す異常信号を伝送線路９１を介してセンター装置２に送信するので、判定部３９ａによって誤って監視領域内にいる人が安全でないと判定した場合でも、上記異常信号が送信されることを防止することができ、監視領域内にいる人の安否管理を正確に行うことができる。
【００５５】
また、見守りモードにおいては、異常信号送信部３０ａは、録音部３９ｂにて録音された音を、監視領域内にいる人が安全でない旨を示す異常信号と共に伝送線路９１を介してセンター装置２に送信するので、センター装置２側にいる管理者は、送信された周囲の音から監視領域内の詳細な状況を把握することができ、状況に応じた対処措置を講ずることができる。
【００５６】
また、警備モードにおいては、判定部３９ａによって監視領域内に不審者が侵入したと判定した場合に、異常信号送信部３０ａは、監視領域内に不審者が侵入した旨を示す異常信号を伝送線路９１を介してセンター装置２に送信するので、センター装置２側にいる管理者に対して、監視領域内に不審者が侵入したことを迅速に知らせることができる。
【００５７】
また、見守りモードと、警備モードとを切り替えるための切替スイッチ３７ａを備えているので、切替スイッチ３７ａを介して告知放送受信機３の動作モードを任意に切り替えることができ、ユーザは状況に応じた動作モードを利用することができる。
【００５８】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、監視領域内にいる人の動きに異常があるか否かを正確に判定できない場合であっても、人の動きの判定を従来とは異なる技術により達成できている場合には、本願発明の課題が解決されている。
【００６０】
（検知部について）
上記実施の形態では、検知部３５は人感センサで構成されていると説明したが、例えば、人感センサと温度センサ等、複数のセンサを組み合わせて構成されてもよい。このような場合に、セキュリティ管理処理において、制御部３９は、複数のセンサの検知結果に基づいてＳＡ３、ＳＡ１０の処理を行ってもよい。あるいは、制御部３９は、温度センサの検知結果に基づいてＳＡ３の処理を行い、人感センサの検知結果に基づいてＳＡ１０の処理を行う等、動作モードに応じて各センサの検知結果を使い分けてもよい。
【００６１】
（録音部と周囲音格納部について）
上記実施の形態では、制御部３９は録音部３９ｂを備えており、音声情報格納部４１は周囲音格納部４１ａを備えていると説明したが、例えば、セキュリティ管理処理において、異常信号送信部３０ａが異常信号のみを送信することを前提とする場合には、これら録音部３９ｂ及び周囲音格納部４１ａを省略してもよい。このような場合に、セキュリティ管理処理において、ＳＡ５、ＳＡ１２、ＳＡ１３の処理も省略してもよい。
【００６２】
（切替スイッチについて）
上記実施の形態では、操作部３７は、切替スイッチ３７ａを備えていると説明したが、例えば、告知放送受信機３の動作モードが、見守りモード、又は警備モードのいずれか一つしかない場合には、切替スイッチ３７ａを省略してもよい。
【００６３】
（セキュリティ管理処理について）
上記実施の形態では、ＳＡ３の処理において、判定部３９ａは、人感センサの検出結果に基づいて、監視領域内にいる人の安否を判定すると説明したが、これに限られない。例えば、判定部３９ａは、温度センサの検出結果に基づいて、監視領域内にいる人の安否を判定してもよい。この場合において、監視領域内にいる人の安否に関する具体的な判定内容については、例えば、監視領域内の温度が所定の温度範囲内である場合に、判定部３９ａは、監視領域内にいる人が安全であると判定し、監視領域内の温度が所定の温度範囲内にない場合に、判定部３９ａは、監視領域内にいる人が安全でないと判定する。
【００６４】
また、上記実施の形態では、ＳＡ４の処理において、問いかけ音声をスピーカ３４によって出力させると説明したが、例えば、視覚的にも注意喚起を行うために、制御部３９は、上記問いかけ音声の出力に加えて、電源表示灯３８ａ、緊急放送表示灯３８ｂ、又は一般放送表示灯３８ｃの少なくとも２つ以上を点滅させてもよい。あるいは、図示しない液晶パネルを備えて、監視領域内にいる人の安否を確認する旨を示す画像データ（例えば、「あなたの状況をお知らせ下さい」等）を、当該図示しない液晶パネルによって表示させてもよい（ＳＡ１１の処理においても同様とする）。
【００６５】
また、上記実施の形態では、ＳＡ１０の処理において、不審者が侵入していると判定された場合（ＳＡ１０、Ｙｅｓ）、警報音声を出力させ（ＳＡ１１）、告知放送受信機３の周囲の音を録音させた後に（ＳＡ１２、ＳＡ１３）、録音した周囲の音と共に、監視領域内に不審者が侵入した旨の異常信号を送信させる（ＳＡ１４）と説明したが、これに限られない。例えば、ＳＡ１０の処理において、不審者が侵入していると判定された場合（ＳＡ１０、Ｙｅｓ）に、監視領域内に不審者が侵入した旨の異常信号のみを先に送信させ、その後、警報音声を出力させ、告知放送受信機３の周囲の音を録音させた後に、録音した周囲の音を送信させてもよい。
【００６６】
また、上記実施の形態では、ＳＡ１１の処理において、警報音声を出力させると説明したが、例えば、ＳＡ１１の処理を省略してもよい。
【００６７】
また、上記実施の形態では、ＳＡ１２の処理において、告知放送受信機３の周囲の音を録音させると説明したが、これに加えて、例えば、撮影手段（例えばカメラ等）を備えて、当該撮影手段によって、告知放送受信機３の周囲の状況を撮影し、当該撮影した画像データを、監視領域内に不審者が侵入した旨の異常信号や録音された周囲の音と共に、あるいは、これらとは独立して、送信させてもよい。
【符号の説明】
【００６８】
１  告知放送システム
２  センター装置
３  告知放送受信機
９  伝送系統
３０  通信部
３０ａ  異常信号送信部
３１  音声切換え部
３２  音量調整部
３３、９２  アンプ
３４  スピーカ
３５  検知部
３６  マイク
３７  操作部
３７ａ  切替スイッチ
３７ｂ  ＦＭ放送選択スイッチ
３７ｃ  告知再生スイッチ
３７ｄ  ボリュームスイッチ
３８  表示部
３８ａ  電源表示灯
３８ｂ  緊急放送表示灯
３８ｃ  一般放送表示灯
３９  制御部
４０  メモリ
４１  音声情報格納部
４１ａ  周囲音格納部
４２  筐体
４２ａ  正面カバー
４２ｂ  背面カバー
４３  音響孔
５１  アンテナ
９０  ヘッドエンド
９１  伝送線路
９３  分配増幅器
９４  分配器
９５  保安器
Ｗ  設置壁
【図１】
2014013462.tif 000003
【図２】
2014013462.tif 000004
【図３】
2014013462.tif 000005
【図４】
2014013462.tif 000006